(57)【特許請求の範囲】
【請求項１】
入金された貨幣を計数して計数結果を出力する入金部と、
入金情報が手入力される入力部と、
釣銭出金指示に基づいて釣銭を出金する出金部と、
購入商品の購入金額を算出する購入金額算出部と、
前記購入金額、前記計数結果及び前記入金情報に基づいて釣銭の金額を算出し、前記出金部に対して前記釣銭出金指示を出力する釣銭算出部と、
ロックされると開放不能になり、ロック解除信号によりロックが解除され開放可能になる貨幣が収納される収納部と、
前記入力部を介して前記入金情報が入力された場合に、前記収納部に対して前記ロック解除信号を出力するロック解除部と、
を備え、
前記入金部は、投入された貨幣をリジェクト貨幣と判定した場合、判定結果を前記ロック解除部に通知し、
前記ロック解除部は、前記入金部から前記判定結果が通知されると、前記収納部に対して前記ロック解除信号を出力することを特徴とする精算システム。
【請求項２】
釣銭機から入金貨幣の計数結果を受信する受信部と、
入金情報が手入力される入力部と、
購入商品の購入金額を算出する購入金額算出部と、
前記購入金額、前記計数結果及び前記入金情報に基づいて釣銭の金額を算出する釣銭金額算出部と、
前記釣銭機に対して、前記釣銭を出金するように指示する指示部と、
ロックされると開放不能になる貨幣が収納される収納部に対して、前記入力部を介して前記入金情報が入力された場合にロック解除信号を出力してロックを解除し、前記収納部を開放可能にするロック解除部と、
を備え、
前記ロック解除部は、前記釣銭機から、投入された貨幣がリジェクト貨幣であったという通知を受け取ると、前記収納部に対して前記ロック解除信号を出力することを特徴とするレジスタ。
【請求項３】
入金部、入力部、購入金額算出部、釣銭算出部、釣銭出金部、ロックされると開放不能になり、ロック解除信号により開放可能になる貨幣を収納する収納部、及び前記収納部に対して前記ロック解除信号を出力するロック解除部を用いる精算方法であって、
前記入金部を用いて、入金貨幣を計数し、計数結果を前記釣銭算出部に通知するとともに、投入された貨幣をリジェクト貨幣と判定した場合、判定結果を前記ロック解除部に通知し、
前記入力部を用いて、手入力された入金情報を前記釣銭算出部に通知し、
前記購入金額算出部を用いて、購入商品の購入金額を算出し、この購入金額を前記釣銭算出部に通知し、
前記釣銭算出部を用いて、前記購入金額、前記計数結果及び前記入金情報に基づいて釣銭の金額を算出し、前記釣銭出金部に対して釣銭出金指示を出力し、
前記釣銭出金部を用いて、前記釣銭出金指示に基づいて釣銭を出金し、
前記入力部を介して前記入金情報が入力された場合、または、前記入金部から前記判定結果が通知された場合は、前記ロック解除部を用いて、前記収納部に対して前記ロック解除信号を出力することを特徴とする精算方法。
【発明の詳細な説明】
【技術分野】
【０００１】
本発明は、顧客の支払金の入金及び釣銭の出金を行う精算システム、方法、及びこの精算システムに用いられるレジスタに関する。
【背景技術】
【０００２】
スーパーマーケットやコンビニエンスストア等の店舗には、貨幣の入出金を行う釣銭機と、顧客の購入商品の登録や釣銭機に対する釣銭の出金指示を行うレジスタとを備えた精算システムが設けられている。
【０００３】
例えば、特許文献１、２は、硬貨の入出金を行う硬貨釣銭機、紙幣を収納するドロア装置、及びＰＯＳ端末からなるシステムが提案されている。特許文献１のシステムでは、商品売上処理が完了し顧客の購入商品の合計金額が確定すると、ＰＯＳ端末がドロア装置にドロア開放信号を出力していた。しかし、このようなシステムでは、ドロア装置の開放が不要な場合にもドロア装置を開放するため、ドロア装置を閉鎖する手間がかかっていた。また、ドロア装置内の貨幣を安全かつ厳正に管理するという点で問題があった。
【０００４】
特許文献２では、顧客からの受け取り金額が１０００円以上の場合に、ＰＯＳ端末がドロア開放信号を出力する。顧客からの受け取り金額が１０００円未満の場合、ドロアは開放されないため、特許文献１と比較して、ドロア装置の不要な開放の頻度を削減することができる。しかし、顧客からの受け取り金額が硬貨のみで１０００円以上になった場合（例えば５００円硬貨２枚の場合）等はドロア装置が開放される。このように、従来のシステムでは、ドロア装置の不要な開放を防止できず、ドロア装置内の貨幣を安全かつ厳正に管理することができなかった。
【先行技術文献】
【特許文献】
【０００５】
【特許文献１】特開２００３−９１７７４号公報
【特許文献２】特開平６−９６３６０号公報
【発明の概要】
【発明が解決しようとする課題】
【０００６】
本発明は、顧客の支払金の入金及び釣銭の出金を行うとともに、貨幣を安全かつ厳正に管理できる精算システム、方法、及びこの精算システムに用いられるレジスタを提供することを目的とする。
【課題を解決するための手段】
【０００７】
本発明の一態様による精算システムは、入金された貨幣を計数して計数結果を出力する入金部と、入金情報が手入力される入力部と、釣銭出金指示に基づいて釣銭を出金する出金部と、購入商品の購入金額を算出する購入金額算出部と、前記購入金額、前記計数結果及び前記入金情報に基づいて釣銭の金額を算出し、前記出金部に対して前記釣銭出金指示を出力する釣銭算出部と、ロックされると開放不能になり、ロック解除信号によりロックが解除され開放可能になる貨幣が収納される収納部と、前記収納部に対して前記ロック解除信号を出力するロック解除部と、を備え、前記ロック解除部は、前記入力部を介して前記入金情報が入力された場合は、前記収納部に対して前記ロック解除信号を出力するものである。
【０００８】
本発明の一態様による精算システムにおいては、前記入力部は、前記入金情報として前記入金部に入金できない有価媒体の情報が入力されることが好ましい。
【０００９】
本発明の一態様による精算システムにおいては、前記入金部は硬貨が入金され、前記有価媒体は紙幣、又は前記入金部でリジェクト硬貨と判定された硬貨を含むことが好ましい。
【００１０】
本発明の一態様による精算システムにおいては、前記入金部は紙幣が入金され、前記有価媒体は硬貨、又は前記入金部でリジェクト紙幣と判定された紙幣を含むことが好ましい。
【００１１】
本発明の一態様による精算システムにおいては、前記入金部は、投入された貨幣をリジェクト貨幣と判定した場合、判定結果を前記ロック解除部に通知し、前記ロック解除部は、前記入金部から前記判定結果が通知されると、前記収納部に対して前記ロック解除信号を出力することが好ましい。
【００１２】
本発明の一態様によるレジスタは、釣銭機から入金貨幣の計数結果を受信する受信部と、入金情報が手入力される入力部と、購入商品の購入金額を算出する購入金額算出部と、前記購入金額、前記計数結果及び前記入金情報に基づいて釣銭の金額を算出する釣銭金額算出部と、前記釣銭機に対して、前記釣銭を出金するように指示する指示部と、ロックされると開放不能になる貨幣が収納される収納部に対してロック解除信号を出力してロックを解除し、前記収納部を開放可能にするロック解除部と、を備え、前記ロック解除部は、前記入力部を介して前記入金情報が入力された場合は、前記収納部に対して前記ロック解除信号を出力するものである。
【００１３】
本発明の一態様によるレジスタにおいては、前記入力部は、前記入金情報として前記釣銭機に入金できない有価媒体の情報が入力されることが好ましい。
【００１４】
本発明の一態様によるレジスタにおいては、前記釣銭機は硬貨が入金され、前記有価媒体は紙幣、又は前記釣銭機でリジェクト硬貨と判定された硬貨を含むことが好ましい。
【００１５】
本発明の一態様によるレジスタにおいては、前記釣銭機は紙幣が入金され、前記有価媒体は硬貨、又は前記釣銭機でリジェクト紙幣と判定された紙幣を含むことが好ましい。
【００１６】
本発明の一態様によるレジスタにおいては、前記ロック解除部は、前記釣銭機から、投入された貨幣がリジェクト貨幣であったという通知を受け取ると、前記収納部に対して前記ロック解除信号を出力することが好ましい。
【００１７】
本発明の一態様による精算方法は、入金部、入力部、購入金額算出部、釣銭算出部、釣銭出金部、ロックされると開放不能になり、ロック解除信号により開放可能になる貨幣を収納する収納部、及び前記収納部に対して前記ロック解除信号を出力するロック解除部を用いる精算方法であって、前記入金部を用いて、入金貨幣を計数し、計数結果を前記釣銭算出部に通知し、前記入力部を用いて、手入力された入金情報を前記釣銭算出部に通知し、前記購入金額算出部を用いて、購入商品の購入金額を算出し、この購入金額を前記釣銭算出部に通知し、前記釣銭算出部を用いて、前記購入金額、前記計数結果及び前記入金情報に基づいて釣銭の金額を算出し、前記釣銭出金部に対して釣銭出金指示を出力し、前記釣銭出金部を用いて、前記釣銭出金指示に基づいて釣銭を出金し、前記入力部を介して前記入金情報が入力された場合は、前記ロック解除部を用いて、前記収納部に対して前記ロック解除信号を出力するものである。
【００１８】
本発明の一態様による精算方法においては、前記入力部は、前記入金情報として前記入金部に入金できない有価媒体の情報が入力されることが好ましい。
【００１９】
本発明の一態様による精算方法においては、前記入金部は硬貨が入金され、前記有価媒体は紙幣、又は前記入金部でリジェクト硬貨と判定された硬貨を含むことが好ましい。
【００２０】
本発明の一態様による精算方法においては、前記入金部は紙幣が入金され、前記有価媒体は硬貨、又は前記入金部でリジェクト紙幣と判定された紙幣を含むことが好ましい。
【００２１】
本発明の一態様による精算方法においては、前記入金部は、投入された貨幣をリジェクト貨幣と判定した場合、判定結果を前記ロック解除部に通知し、前記ロック解除部は、前記入金部から前記判定結果が通知されると、前記収納部に対して前記ロック解除信号を出力することが好ましい。
【発明の効果】
【００２２】
本発明によれば、顧客の支払金の入金及び釣銭の出金を行うとともに、貨幣を安全かつ厳正に管理できる。
【図面の簡単な説明】
【００２３】
【図１】本発明の第１の実施形態に係る精算システムの外観図である。
【図２】同第１の実施形態に係る硬貨釣銭機の概略構成図である。
【図３】同第１の実施形態に係るレジスタのブロック構成図である。
【図４】同第１の実施形態に係る精算処理プログラムを実行することで実現される機能ブロック図である。
【図５】同第１の実施形態に係るキャッシュドロアの概略構成図である。
【図６】同第１の実施形態に係る精算方法の一例を説明するタイミングチャートである。
【図７】同第１の実施形態に係る精算方法の一例を説明するタイミングチャートである。
【図８】同第１の実施形態に係る精算方法の一例を説明するタイミングチャートである。
【図９】本発明の第２の実施形態に係る精算システムの外観図である。
【図１０】同第２の実施形態に係る紙幣釣銭機の概略構成図である。
【発明を実施するための形態】
【００２４】
（第１の実施形態）図１に本発明の第１の実施形態に係る精算システムの外観を示す。精算システムは、硬貨の入出金処理を行う硬貨釣銭機１００と、顧客の購入商品の登録を行うレジスタ３００と、紙幣等を収納するキャッシュドロア４００とを備えている。
【００２５】
図２は、硬貨釣銭機１００の概略構成図であり、図１及び図２を用いて硬貨釣銭機１００の構成について説明する。
【００２６】
硬貨釣銭機１００は、外部から硬貨を受け入れる硬貨受入部１１４、硬貨受入部１１４から受け入れた受入硬貨の識別計数を行う硬貨識別部１０１、硬貨識別部１０１による識別結果に応じて受入硬貨を額面別に収納する硬貨収納部１０６、及び機内の貨幣を外部に払い出す硬貨払出部１１６を備える。
【００２７】
図１に示すように、硬貨釣銭機１００は前部上面に操作表示部１１２を有する筐体１１０を備える。筐体１１０の前部には硬貨受入部１１４及び硬貨払出部１１６が設けられている。
【００２８】
硬貨受入部１１４は受け入れた硬貨を１層１列状態で１枚ずつ機内へ取り込む。受入部１１４の後方には取り込まれた硬貨を搬送する入金搬送部１０３が延びている。
【００２９】
この入金搬送部１０３の途中には硬貨の識別・計数を行う硬貨識別部１０１と、分岐部１０４が設けられている。分岐部１０４は硬貨識別部１０１の識別結果に基づいて、リジェクト硬貨等の硬貨払出部１１６から払い出される（放出される）硬貨を出金搬送部１０８へ案内（搬送）する。
【００３０】
正常硬貨等の機内に収納される硬貨は入金搬送部１０３により硬貨収納部１０６へ搬送される。硬貨収納部１０６は硬貨を金種別に収納し、例えば入金搬送部１０３の上流側から高額順に硬貨を収納する。
【００３１】
出金搬送部１０８は硬貨収納部１０６から排出された硬貨を硬貨払出部１１６へ搬送する。また、出金搬送部１０８は、分岐部１０４から案内された硬貨を硬貨払出部１１６へ搬送する。
【００３２】
また、硬貨釣銭機１００には、各部の制御を行う制御部１３０が設けられている。制御部１３０は、レジスタ３００と通信可能に接続されており、様々な情報の送受信を行う。例えば、制御部１３０は、レジスタ３００から入金処理を開始する命令（入金コマンド）を受信する。また、制御部１３０は、入金硬貨の計数結果をレジスタ３００へ送信する。
【００３３】
また、制御部１３０は、入金硬貨にリジェクト硬貨が含まれていた場合に、リジェクト硬貨が含まれていたこと（入金硬貨をリジェクト硬貨と判定したというリジェクト判定結果）をレジスタ３００に通知する。さらに、このとき、制御部１３０は、リジェクト硬貨が含まれていたことを操作表示部１１２に表示したり、リジェクト硬貨が払い出された硬貨払出部１１６を照らすランプ等の照明部（図示せず）を点滅させたりしてもよい。
【００３４】
また、制御部１３０は、レジスタ３００から、釣銭として出金する硬貨の金額を含む釣銭出金指示を受信する。また、制御部１３０は、釣銭出金指示に基づく釣銭硬貨の出金が完了すると、レジスタ３００へ出金完了を通知する。
【００３５】
図３にレジスタ３００のブロック構成を示す。図１及び図３に示すように、レジスタ３００は、各種情報を表示する表示部３０２と、係員から各種情報や指示についての手入力を受け付けるキーボード３０４と、取引内容を印字したレシートを出力するプリンタ３０６と、硬貨釣銭機１００と通信可能に接続された通信部３０８と、演算制御部３１０と、精算処理プログラムを格納しているメモリ３１２とを備えている。
【００３６】
キーボード３０４はテンキーを有しており、顧客の支払い貨幣のうち硬貨釣銭機１００に入金できない有価媒体についての入金情報の手入力を受けつけることができる。ここで、硬貨釣銭機１００に入金できない有価媒体とは、紙幣、リジェクト硬貨、金券等である。
【００３７】
また、レジスタ３００は、顧客の購入商品に付されたバーコードを読み取る読取部（図示せず）を備えている。読取部がバーコードを読み取ることで、レジスタ３００は顧客の購入商品の商品情報を取得して登録することができる。
【００３８】
図１に示すように、レジスタ３００は、顧客に向けた表示部（カスタマーディスプレイ）３０２ａを備えていてもよい。また、表示部３０２をタッチパネルにしてもよく、その場合、係員から顧客購入商品の商品情報や、硬貨釣銭機１００に入金できない有価媒体についての入金情報等の入力を受けつけることができる。
【００３９】
演算制御部３１０は、レジスタ３００の各部に接続されており、データの授受を行ったり、動作の制御を行ったりする。また、演算制御部３１０は、通信部３０８を介して硬貨釣銭機１００へ入金コマンドを送信することができる。
【００４０】
また、演算制御部３１０は、メモリ３１２に格納されている精算処理プログラムを実行する。図４に、演算制御部３１０が精算処理プログラムを実行することで実現される機能ブロック図を示す。精算処理プログラムの実行により、購入金額算出部３２０、釣銭算出部３２２、及びロック解除部３２４が実現される。
【００４１】
購入金額算出部３２０は、読取部等を介して取得した商品情報を用いて、顧客の購入商品の購入金額（商品が複数ある場合は合計金額）を算出する。例えば、メモリ３１２に商品情報とその金額との組合せを有するテーブルを格納しておき、購入金額算出部３２０が、商品情報を用いてテーブルを検索することで、購入商品の金額を求めることができる。
【００４２】
釣銭算出部３２２は、通信部３０８を介して硬貨釣銭機１００から受け取った入金硬貨の計数結果と、キーボード３０４を介して係員から手入力された入金情報とを加算して入金総額を算出する。そして、釣銭算出部３２２は、入金総額から、購入金額算出部３２０が算出した購入金額を減じて、釣銭額を算出する。
【００４３】
釣銭算出部３２２は、算出した釣銭額を表示部３０２に表示させることができる。また、釣銭算出部３２２は、算出した釣銭額のうちの硬貨分に対応した釣銭出金指示を、通信部３０８を介して硬貨釣銭機１００へ出力する。例えば、釣銭算出部３２２は、釣銭額が１２４０円であった場合、２４０円（下３桁）の釣銭硬貨を出金する釣銭出金指示を硬貨釣銭機１００へ出力する。
【００４４】
ロック解除部３２４は、キーボード３０４を介して係員から入金情報が手入力された場合に、通信部３０８を介して、キャッシュドロア４００へロック解除信号を出力する。ロック解除信号を受信することによるキャッシュドロア４００の動作については後述する。
【００４５】
また、ロック解除部３２４は、硬貨釣銭機１００からリジェクト判定結果を受信した場合にも、キャッシュドロア４００へロック解除信号を出力する。
【００４６】
図５にキャッシュドロア４００の概略構成を示す。キャッシュドロア４００は、紙幣等を収納するドロア本体４１０と、このドロア本体４１０を収納する筐体４２０とを備えている。ドロア本体４１０は、紙幣を収納する収納領域４１２、リジェクト硬貨を収納する収納領域４１４、金券を収納する収納領域（図示せず）を有し、筐体４２０から前方へ引き出し式に開放されることで、有価媒体の収納及び取り出しが可能となるように構成されている。
【００４７】
また、キャッシュドロア４００には、レジスタ３００と接続される自動開放機構４３０が設けられている。この開放機構４３０は、レジスタ３００からのロック解除信号に応じてドロア本体４１０を自動開放させるように構成されている。このような自動開放機構４３０としては、電磁作動式のラッチ機構（ロック機構）とバネの組合せ等の公知の機構を用いることができるので、詳細な説明は省略する。なお、ドロア本体４１０を筐体４２０に対して手動で押し込むことによって、ドロア本体４１０は閉鎖・ロックされ、開放不能になる。
【００４８】
また、自動開放機構４３０にバネを設けず、ロック解除信号によりロック機構を自動で解除し、ドロア本体４１０は手動で引き出すことにより開放するような構成としてもよい。
【００４９】
このように、本実施形態にかかる精算システムでは、顧客の支払い貨幣に、リジェクト硬貨や紙幣等の硬貨釣銭機１００に入金できない有価媒体が含まれていた場合、これらの有価媒体についての入金情報をレジスタ３００のキーボード３０４から手入力することができる。手入力された入金情報と、硬貨釣銭機１００の計数結果とから顧客の支払い金額を計算し、釣銭硬貨を自動出金することができる。
【００５０】
また、このような硬貨釣銭機１００に入金できない有価媒体がある時、レジスタ３００がキャッシュドロア４００へロック解除信号を出力し、ドロア本体４１０を開放させる。そして、硬貨釣銭機１００にすべての支払い貨幣を入金できる場合、すなわち入金情報をキーボード３０４から手入力しない場合は、硬貨釣銭機１００の異常により釣銭出金のみが不能となるような場合を除いて、ドロア本体４１０を開放しない。従って、ドロア本体４１０の不要な開放を防止し、ドロア本体４１０内の貨幣を安全かつ厳正に管理することができる。
【００５１】
次に、このような精算システムを用いた精算方法について説明する。
【００５２】
まず、顧客の支払い金が硬貨のみであり、かつ支払い硬貨の中にリジェクト硬貨が含まれていない場合について、図６に示すタイミングチャートを用いて説明する。
【００５３】
（ステップＳ１０１）顧客が購入する商品の商品情報がレジスタ３００に登録され、（購入金額算出部３２０により）購入金額が算出される。
【００５４】
（ステップＳ１０２）レジスタ３００が硬貨釣銭機１００に対して入金コマンドを送信する。硬貨釣銭機１００は入金コマンドを受信すると、硬貨の入金を待ち受ける状態になる。
【００５５】
（ステップＳ１０３）顧客の支払い硬貨が硬貨釣銭機１００に入金される。硬貨釣銭機１００は、硬貨の識別・計数を含む入金処理を行う。
【００５６】
（ステップＳ１０４）硬貨釣銭機１００が、入金硬貨の計数結果をレジスタ３００へ送信する。
【００５７】
（ステップＳ１０５）レジスタ３００の釣銭算出部３２２が、ステップＳ１０４において硬貨釣銭機１００から受信した入金硬貨の計数結果から入金総額を算出する。レジスタ３００の表示部３０２やカスタマーディスプレイに、この入金総額が表示される。
【００５８】
（ステップＳ１０６）入金総額が確定される。例えば、係員がキーボード１０６を操作してレジスタ３００に対して入金確定指示を与えてもよいし、硬貨釣銭機１００への追加入金がなく、入金総額が所定時間変化しなかった場合に自動的に入金総額を確定してもよい。なお、このとき、確定した入金総額は購入金額以上である。
【００５９】
（ステップＳ１０７）レジスタ３００の釣銭算出部３２２が、入金総額及び購入金額に基づいて、釣銭額を算出する。
【００６０】
（ステップＳ１０８）レジスタ３００の釣銭算出部３２２が、釣銭額のうちの硬貨分の出金を指示する釣銭出金指示を硬貨釣銭機１００へ出力する。
【００６１】
（ステップＳ１０９）硬貨釣銭機１００が、釣銭出金指示に基づいて、釣銭硬貨を出金する。係員は、出金された釣銭硬貨を顧客に手渡す。
【００６２】
（ステップＳ１１０）硬貨釣銭機１００が、釣銭硬貨の出金完了をレジスタ３００に通知する。
【００６３】
（ステップＳ１１１）プリンタ３０６が、顧客の購入商品の商品情報、購入金額、顧客の支払い額、釣銭額等を含む取引内容を印字したレシートを出力する。係員は、出力されたレシートを顧客に手渡す。
【００６４】
図６に示すように、紙幣釣銭機が設けられていない精算システムを用いて、いわゆる入金確定モードで、顧客の支払金の入金、及び釣銭出金を行うことができる。硬貨については、硬貨釣銭機１００を使用するため、正確な入出金処理を行うことができる。また、顧客の支払い貨幣が全て硬貨釣銭機１００に入金され、キャッシュドロア４００はドロア本体４１０を開放しない。従って、ドロア本体４１０の不要な開放を防止することができる。
【００６５】
次に、顧客の支払い金に紙幣が含まれており、かつ支払い硬貨の中にリジェクト硬貨が含まれていない場合について、図７に示すタイミングチャートを用いて説明する。
【００６６】
（ステップＳ２０１）顧客が購入する商品の商品情報がレジスタ３００に登録され、（購入金額算出部３２０により）購入金額が算出される。
【００６７】
（ステップＳ２０２）レジスタ３００が硬貨釣銭機１００に対して入金コマンドを送信する。硬貨釣銭機１００は入金コマンドを受信すると、硬貨の入金を待ち受ける状態になる。
【００６８】
（ステップＳ２０３）顧客の支払い硬貨が硬貨釣銭機１００に入金される。硬貨釣銭機１００は、硬貨の識別・計数を含む入金処理を行う。
【００６９】
（ステップＳ２０４）硬貨釣銭機１００が、入金硬貨の計数結果をレジスタ３００へ送信する。
【００７０】
（ステップＳ２０５）係員が、レジスタ３００のキーボード３０４を用いて、顧客の支払い紙幣についての入金情報を手入力する。紙幣だけでなく、金券等についての入金情報も手入力することができる。
【００７１】
（ステップＳ２０６）レジスタ３００の釣銭算出部３２２が、ステップＳ２０４において硬貨釣銭機１００から受け取った入金硬貨の計数結果と、ステップＳ２０５においてキーボード３０４を介して係員から手入力された入金情報とを加算して入金総額を算出する。レジスタ３００の表示部３０２やカスタマーディスプレイに、この入金総額が表示される。
【００７２】
（ステップＳ２０７）入金総額が確定される。
【００７３】
（ステップＳ２０８）レジスタ３００の釣銭算出部３２２が、入金総額及び購入金額に基づいて、釣銭額を算出する。また、釣銭額が表示部３０２に表示される。
【００７４】
（ステップＳ２０９）レジスタ３００のロック解除部３２４が、キャッシュドロア４００へロック解除信号を出力する。
【００７５】
（ステップＳ２１０）キャッシュドロア４００の開放機構４３０は、レジスタ３００からのロック解除信号に応じてドロア本体４１０を自動開放させる。係員は、表示部３０２に表示された釣銭額を確認して、紙幣による釣銭出金が必要な場合は、ドロア本体４１０から釣銭紙幣を取り出す。
【００７６】
（ステップＳ２１１）レジスタ３００の釣銭算出部３２２が、釣銭額のうちの硬貨分の出金を指示する釣銭出金指示を硬貨釣銭機１００へ出力する。
【００７７】
ステップＳ２０９のロック解除信号の出力と、本ステップの釣銭出金指示の出力は、どちらを先に行ってもよい。
【００７８】
（ステップＳ２１２）硬貨釣銭機１００が、釣銭出金指示に基づいて、釣銭硬貨を出金する。係員は、出金された釣銭硬貨と、ステップＳ２１０でドロア本体４１０から取り出した釣銭紙幣とを顧客に手渡す。
【００７９】
（ステップＳ２１３）硬貨釣銭機１００が、釣銭硬貨の出金完了をレジスタ３００に通知する。
【００８０】
（ステップＳ２１４）プリンタ３０６が、顧客の購入商品の商品情報、購入金額、顧客の支払い額、釣銭額等を含む取引内容を印字したレシートを出力する。係員は、出力されたレシートを顧客に手渡す。
【００８１】
（ステップＳ２１５）係員が、顧客の支払い紙幣をドロア本体４１０に収納し、ドロア本体４１０を筐体４２０に対して手動で押し込む。これにより、ドロア本体４１０は閉鎖・ロックされ、開放不能になる。
【００８２】
図７に示すように、紙幣釣銭機が設けられていない精算システムを用いて、いわゆる入金確定モードで、顧客の支払金の入金、及び釣銭出金を行うことができる。硬貨については、硬貨釣銭機１００を使用するため、正確な入出金処理を行うことができる。また、顧客の支払い貨幣に、硬貨釣銭機１００に入金できない有価媒体である紙幣が含まれている場合は、紙幣についての入金情報をレジスタ３００に手入力することができる。また、キャッシュドロア４００がドロア本体４１０を開放するため、紙幣をドロア本体４１０に収納することができる。
【００８３】
次に、顧客の支払い硬貨の中にリジェクト硬貨が含まれている場合について、図８に示すタイミングチャートを用いて説明する。
【００８４】
（ステップＳ３０１）顧客が購入する商品の商品情報がレジスタ３００に登録され、（購入金額算出部３２０により）購入金額が算出される。
【００８５】
（ステップＳ３０２）レジスタ３００が硬貨釣銭機１００に対して入金コマンドを送信する。硬貨釣銭機１００は入金コマンドを受信すると、硬貨の入金を待ち受ける状態になる。
【００８６】
（ステップＳ３０３）顧客の支払い硬貨が硬貨釣銭機１００に入金される。硬貨釣銭機１００は、硬貨の識別・計数を含む入金処理を行う。
【００８７】
（ステップＳ３０４）硬貨釣銭機１００が、リジェクト硬貨を硬貨払出部１１６から放出する。
【００８８】
（ステップＳ３０５）硬貨釣銭機１００が、（リジェクト硬貨を含まない）入金硬貨の計数結果をレジスタ３００へ送信する。
【００８９】
（ステップＳ３０６）硬貨釣銭機１００が、リジェクト硬貨が含まれていたこと（入金硬貨をリジェクト硬貨と判定したことを示すリジェクト判定結果）をレジスタ３００に通知する。
【００９０】
（ステップＳ３０７）硬貨釣銭機１００が、リジェクト硬貨が含まれていたことを操作表示部１１２に表示したり、硬貨払出部１１６を照らすランプ等の照明部（図示せず）を点滅させたりして、リジェクト硬貨の発生を係員に報知する。係員は、リジェクト硬貨を硬貨払出部１１６から取り出し、レジスタ３００の貨幣載置スペース等に一時的に置いておく。
【００９１】
（ステップＳ３０８）係員がリジェクト硬貨を目視確認し、リジェクト硬貨についての入金情報（例えば金種別枚数や金額）をキーボード３０４から手入力する。また、顧客が支払いに紙幣や金券等を使用していた場合、係員は、それらについての入金情報もキーボード１０６から手入力する。
【００９２】
（ステップＳ３０９）レジスタ３００の釣銭算出部３２２が、ステップＳ３０５において硬貨釣銭機１００から受信した入金硬貨の計数結果と、ステップＳ３０８においてキーボード３０４を介して係員から手入力された入金情報とを加算して入金総額を算出する。レジスタ３００の表示部３０２やカスタマーディスプレイに、この入金総額が表示される。
【００９３】
（ステップＳ３１０）入金総額が確定される。
【００９４】
（ステップＳ３１１）レジスタ３００の釣銭算出部３２２が、入金総額及び購入金額に基づいて、釣銭額を算出する。
【００９５】
（ステップＳ３１２）レジスタ３００のロック解除部３２４が、キャッシュドロア４００へロック解除信号を出力する。
【００９６】
（ステップＳ３１３）キャッシュドロア４００の開放機構４３０は、レジスタ３００からのロック解除信号に応じてドロア本体４１０を自動開放させる。係員は、表示部３０２に表示された釣銭額を確認し、必要に応じて、ドロア本体４１０から釣銭紙幣を取り出す。
【００９７】
（ステップＳ３１４）レジスタ３００の釣銭算出部３２２が、釣銭額のうちの硬貨分の出金を指示する釣銭出金指示を硬貨釣銭機１００へ出力する。
【００９８】
（ステップＳ３１５）硬貨釣銭機１００が、釣銭出金指示に基づいて、釣銭硬貨を出金する。係員は、出金された釣銭硬貨及びステップＳ３１３でドロア本体４１０から取り出した釣銭紙幣を顧客に手渡す。
【００９９】
（ステップＳ３１６）硬貨釣銭機１００が、釣銭硬貨の出金完了をレジスタ３００に通知する。
【０１００】
（ステップＳ３１７）プリンタ３０６が、顧客の購入商品の商品情報、購入金額、顧客の支払い額、釣銭額等を含む取引内容を印字したレシートを出力する。係員は、出力されたレシートを顧客に手渡す。
【０１０１】
（ステップＳ３１８）係員が、ステップＳ３０４において硬貨払出部１１６から放出されたリジェクト硬貨、及び顧客の支払い紙幣をドロア本体４１０に収納し、ドロア本体４１０を筐体４２０に対して手動で押し込む。これにより、ドロア本体４１０は閉鎖・ロックされ、開放不能になる。
【０１０２】
図８に示すように、紙幣釣銭機が設けられていない精算システムを用いて、いわゆる入金確定モードで、顧客の支払金の入金、及び釣銭出金を行うことができる。硬貨については、硬貨釣銭機１００を使用するため、正確な入出金処理を行うことができる。また、顧客の支払い貨幣に、硬貨釣銭機１００に入金できないリジェクト硬貨が含まれている場合は、リジェクト硬貨についての入金情報をレジスタ３００に手入力することができる。また、キャッシュドロア４００がドロア本体４１０を開放するため、リジェクト硬貨をドロア本体４１０に収納することができる。
【０１０３】
上述したように、本実施形態によれば、通常の精算処理で、釣銭機が正常に稼働している状態においては、顧客が、硬貨釣銭機１００に入金できない有価媒体、すなわちリジェクト硬貨や紙幣等、を用いて支払いを行った時にのみ、キャッシュドロア４００がドロア本体４１０を開放し、硬貨釣銭機１００に入金できない有価媒体が無い場合はドロア本体４１０が開放しないようにした。そのため、ドロアの不要な開放を防止し、ドロア内の貨幣を安全かつ厳正に管理することができる。ただし、釣銭機の故障や収納貨幣不足により入金や出金ができないなどの限られた場合に限り、ドロア本体４１０を開放できるようにしてもよい。
【０１０４】
上記実施形態では、硬貨釣銭機１００からのリジェクト判定結果に基づいて、ロック解除部３２４がキャッシュドロア４００へロック解除信号を送信していたが、この機能を省略してもよい。例えば、顧客がリジェクト硬貨を正常な硬貨に変更して支払いを行う場合は、ドロア本体４１０を開放する必要がない。リジェクト判定結果に基づくロック解除信号の出力を省略することで、このような場合におけるドロア本体４１０の開放を防止することができる。
【０１０５】
レジスタ３００は、硬貨釣銭機１００からリジェクト判定結果を受信した場合、硬貨釣銭機１００から受け取った計数結果が購入金額以上であっても、係員からの入金情報の手入力又は入金総額の確定指示がない限り、自動的には入金総額を確定しないようにしてもよい。
【０１０６】
例えば、購入金額が１０５円、顧客の支払額が５０５円で、顧客が支払った５円硬貨が硬貨釣銭機１００によりリジェクト硬貨と判定された場合、リジェクト硬貨（５円）の入金情報の手入力を待たずにレジスタ３００が自動的に入金総額を５００円と確定すると、硬貨釣銭機１００は３９５円の釣銭硬貨を出金することになる。つまり、釣銭硬貨の枚数を少なくしたいという顧客の意思が反映されないことになる。
【０１０７】
レジスタ３００が、硬貨釣銭機１００からリジェクト判定結果を受信した場合に、係員からの入金情報の手入力又は入金総額の確定指示があった後に入金総額を確定させることで、このような状況の発生を防止することができる。
【０１０８】
ロック解除部３２４は、釣銭に紙幣が含まれない場合は、レシート出力後（精算終了後）にロック解除信号を出力するようにしてもよい。
【０１０９】
また、キャッシュドロア４００に、ドロア本体４１０の閉鎖を検知する検知部を設け、キャッシュドロア４００がレジスタ３００にドロア閉鎖を通知するようにしてもよい。さらに、レジスタ３００は、ロック解除信号を送信してから所定時間以上ドロア閉鎖の通知を受信しない場合は、ドロア開放の警報を報知するようにしてもよい。
【０１１０】
（第２の実施形態）上記第１の実施形態に係る精算システムは、紙幣釣銭機を備えておらず、硬貨釣銭機１００、レジスタ３００、及びキャッシュドロア４００を有するものであったが、図９に示すように、硬貨釣銭機を備えておらず、紙幣釣銭機２００、レジスタ３００、及びキャッシュドロア４００を有する精算システムでもよい。本実施形態では、キャッシュドロア４００は、紙幣釣銭機２００に入金できない有価媒体、すなわち、硬貨、リジェクト紙幣、金券等を収納する。
【０１１１】
図１０は、紙幣釣銭機２００の概略構成図であり、図９及び図１０を用いて紙幣釣銭機２００の構成について説明する。
【０１１２】
紙幣釣銭機２００は、外部から紙幣を受け入れる受入部２１４、受入部２１４から受け入れた紙幣の識別計数を行う識別部２０１、識別部２０１による識別結果に応じて紙幣を金種別に収納する収納部２０６、及び機内の紙幣を外部に払い出す払出部２１６を備える。
【０１１３】
紙幣釣銭機２００は、筐体２１０と、この筐体２１０内の略中央部に設けられた環状の周回搬送部２０３ａとを備えている。また、受入部２１４、収納部２０６、払出部２１６、出金リジェクト部２０４、及び回収カセット２０７が、周回搬送部２０３ａの外周を取り囲むように配置されている。
【０１１４】
また、受入部２１４、各収納部２０６、払出部２１６、出金リジェクト部２０４、及び回収カセット２０７と、周回搬送部２０３ａとの間を接続する紙幣の接続搬送部２０３ｂがそれぞれ形成されている。周回搬送部２０３ａには、通過する紙幣の識別・計数を行う識別部２０１が設けられている。
【０１１５】
また、周回搬送部２０３ａと各接続搬送部２０３ｂとの間で紙幣の搬送経路を切り替える経路切替部（図示せず）が周回搬送部２０３ａに沿って配置されている。
【０１１６】
筐体２１０の前面には受入部２１４の受入口２１４ａと、払出部２１６の取出口２１６ａとが設けられている。回収カセット２０７は筐体２１０に対して着脱自在に取り付けられている。また、筐体２１０の前部上面に操作表示部２１２が設けられている。
【０１１７】
受入部２１４は受入口２１４ａに挿入された紙幣を１枚ずつ取り込んで、周回搬送部２０３ａ側へ繰り出す。各収納部２０６は、識別部２０１の識別結果に基づいて紙幣を金種別に収納する。払出部２１６は、各収納部２０６から取り出された紙幣を取出口２１６ａより放出する。
【０１１８】
出金リジェクト部２０４は、収納部２０６から繰り出された紙幣のうち、斜行等により識別部２０１で識別のできない紙幣を出金リジェクト紙幣として収納する。また、受入部２１４から取り込まれた紙幣のうち、汚損等により識別部２０１で識別のできない紙幣はリジェクト紙幣として払出部２１６に返却される。
【０１１９】
また、紙幣釣銭機２００には、各部の制御を行う制御部２３０が設けられている。制御部２３０は、レジスタ３００と通信可能に接続されており、様々な情報の送受信を行う。例えば、制御部２３０は、レジスタ３００から入金処理を開始する命令（入金コマンド）を受信する。また、制御部２３０は、入金紙幣の計数結果をレジスタ３００へ送信する。
【０１２０】
また、制御部２３０は、入金紙幣にリジェクト紙幣が含まれていた場合に、リジェクト紙幣が含まれていたこと（リジェクト判定結果）をレジスタ３００に通知する。さらに、このとき、制御部２３０は、リジェクト紙幣が含まれていたこと操作表示部２１２に表示してもよい。
【０１２１】
また、制御部２３０は、レジスタ３００から、釣銭として出金する紙幣の金額を含む釣銭出金指示を受信する。また、制御部２３０は、釣銭出金指示に基づく釣銭紙幣の出金が完了すると、レジスタ３００へ出金完了を通知する。
【０１２２】
レジスタ３００の釣銭算出部３２２は、通信部３０８を介して紙幣釣銭機２００から受け取った入金紙幣の計数結果と、キーボード３０４を介して係員から手入力された入金情報とを加算して入金総額を算出する。そして、釣銭算出部３２２は、入金総額から、購入金額算出部３２０が算出した購入金額を減じて、釣銭額を算出する。さらに釣銭算出部３２２は、算出した釣銭額のうちの紙幣分に対応した釣銭出金指示を紙幣釣銭機２００へ出力する。例えば、釣銭算出部３２２は、釣銭額が３２４０円であった場合、３０００円の釣銭紙幣を出金する釣銭出金指示を紙幣釣銭機２００へ出力する。
【０１２３】
本実施形態に係る精算システムは、上記第１の実施形態に係る硬貨釣銭機１００を紙幣釣銭機２００に置き換えたものに相当し、図６〜図８と同様の精算処理を行うことができる。従って、通常の精算処理で、釣銭機が正常に稼働している状態においては、顧客が、紙幣釣銭機２００に入金できない有価媒体、すなわちリジェクト紙幣や硬貨等、を用いて支払いを行った時にのみ、キャッシュドロア４００がドロア本体４１０を開放し、紙幣釣銭機２００に入金できない有価媒体が無い場合はドロア本体４１０が開放しないようにする。そのため、ドロアの不要な開放を防止し、ドロア内の貨幣を安全かつ厳正に管理することができる。
【０１２４】
上記第１、第２の実施形態では、釣銭額の算出やロック解除信号の出力をレジスタ３００が行っていたが、硬貨釣銭機１００や紙幣釣銭機２００が行ってもよい。つまり、釣銭算出部３２２及びロック解除部３２４の機能を硬貨釣銭機１００や紙幣釣銭機２００が備えるようにしてもよい。この場合、レジスタ３００は、購入金額及びキーボード３０４から手入力された入金情報を、硬貨釣銭機１００や紙幣釣銭機２００へ出力する。
【０１２５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２６】
１００  硬貨釣銭機
２００  紙幣釣銭機
３００  レジスタ
３１０  演算制御部
３２０  購入金額算出部
３２２  釣銭算出部
３２４  ロック解除部
４００  キャッシュドロア
【図１】
0005921814.tif 000002
【図２】
0005921814.tif 000003
【図３】
0005921814.tif 000004
【図４】
0005921814.tif 000005
【図５】
0005921814.tif 000006
【図６】
0005921814.tif 000007
【図７】
0005921814.tif 000008
【図８】
0005921814.tif 000009
【図９】
0005921814.tif 000010
【図１０】
0005921814.tif 000011